(57)【要約】【課題】設置の施工性向上に有効な道路用ブロックユニットを提供する。【解決手段】平面視が正方形または長方形状の箱状の形状を有する樹脂製のカバー２０と、このカバー内に接合されるコンクリート製のブロック３０とを備える。カバー２０の４つの側壁部のうち２つの側壁部２２ａ，２２ｂの外面のそれぞれに水平方向に延びる複数の突条２５ａ〜ｃを有し、残りの２つの側壁部２２ｃ，２２ｄの外面のそれぞれに水平方向全長にわたって連続する溝２６を有する。突条２５ａ〜ｃの鉛直方向の高さ位置は溝２６の鉛直方向の高さ位置と略同一であり、突条２５ａ〜ｃの鉛直方向の厚みは溝２６の鉛直方向の幅より小さく、突条２５ａ〜ｃの側壁部からの突出長さは溝２６の深さより大きい。【選択図】図１
2019002147.tif 000002
【特許請求の範囲】
【請求項１】
平面視が正方形または長方形状の箱状の形状を有する樹脂製のカバーと、このカバー内に接合されるコンクリート製のブロックとを備え、
前記カバーの４つの側壁部のうち２つの側壁部の外面のそれぞれに水平方向に延びる複数の突条を有し、
残りの２つの側壁部の外面のそれぞれに水平方向全長にわたって連続する溝を有し、
前記複数の突条の鉛直方向の高さ位置は前記溝の鉛直方向の高さ位置と略同一であり、
前記複数の突条の鉛直方向の厚みは前記溝の鉛直方向の幅より小さく、
前記複数の突条の側壁部からの突出長さは前記溝の深さより大きい、道路用ブロックユニット。
【請求項２】
前記４つの側壁部のうち隣り合う２つの側壁部の外面のそれぞれに前記複数の突条を有し、残りの２つの側壁部の外面のそれぞれに前記溝を有する、請求項１に記載の道路用ブロックユニット。
【請求項３】
前記複数の突条および前記溝の鉛直方向の高さ位置が、前記４つの側壁部の鉛直方向略中央である、請求項１または２に記載の、道路用ブロックユニット。
【請求項４】
前記複数の突条として、水平方向略中央部に第１の突条、水平方向一端部に第２の突条および水平方向他端部に第３の突条を有する、請求項１から３のいずれかに記載の道路用ブロックユニット。
【請求項５】
前記第１の突条と前記第２の突条との間の間隔および前記第１の突条と前記第３の突条との間の間隔が、前記第１の突条の水平方向の長さより大きい、請求項４に記載の道路用ブロックユニット。
【請求項６】
前記第２の突条および前記第３の突条の水平方向の長さが、前記第１の突条の水平方向の長さの略半分である、請求項４または５に記載の道路用ブロックユニット。
【請求項７】
前記４つの側壁部のうち前記溝が設けられている２つの側壁部の厚みは、残りの２つの側壁部の厚みより大きい、請求項１から７のいずれかに記載の道路用ブロックユニット。
【請求項８】
平面視が正方形または長方形状の箱状の形状を有し、
その４つの側壁部のうち２つの側壁部の外面のそれぞれに水平方向に延びる複数の突条を有し、
残りの２つの側壁部の外面のそれぞれに水平方向全長にわたって連続する溝を有し、
前記複数の突条の鉛直方向の高さ位置は前記溝の鉛直方向の高さ位置と略同一であり、
前記複数の突条の鉛直方向の厚みは前記溝の鉛直方向の幅より小さく、
前記複数の突条の側壁部からの突出長さは前記溝の深さより大きい、道路用ブロックカバー。
【発明の詳細な説明】
【技術分野】
【０００１】
本発明は、点字ブロックなどとして道路に設置される道路用ブロックユニットおよび道路用ブロックカバーに関する。
【背景技術】
【０００２】
特許文献１には、道路用ブロックユニットの一例として、コンクリート製の基体と、基体に被せられた可撓性を有するプラスチック製のカバーとを備える点字誘導ブロックが開示されている。このような道路用ブロックユニットは、所定幅（一般的には３ｍｍ程度）の目地部を介して複数連結して設置される。しかし、従来の道路用ブロックユニットでは、所定幅の目地部を確保することが難しいなど、設置の施工性に問題があった。
【先行技術文献】
【特許文献】
【０００３】
【特許文献１】特開２００１−８１７４２号公報
【発明の概要】
【発明が解決しようとする課題】
【０００４】
本発明が解決しようとする課題は、設置の施工性向上に有効な道路用ブロックユニットおよび道路用ブロックカバーを提供することにある。
【課題を解決するための手段】
【０００５】
本発明の一観点によれば次の道路用ブロックユニットが提供される。
「平面視が正方形または長方形状の箱状の形状を有する樹脂製のカバーと、このカバー内に接合されるコンクリート製のブロックとを備え、
前記カバーの４つの側壁部のうち２つの側壁部の外面のそれぞれに水平方向に延びる複数の突条を有し、
残りの２つの側壁部の外面のそれぞれに水平方向全長にわたって連続する溝を有し、
前記複数の突条の鉛直方向の高さ位置は前記溝の鉛直方向の高さ位置と略同一であり、
前記複数の突条の鉛直方向の厚みは前記溝の鉛直方向の幅より小さく、
前記複数の突条の側壁部からの突出長さは前記溝の深さより大きい、道路用ブロックユニット。」
【０００６】
この道路用ブロックユニットは、複数連結して設置する際に隣接する道路用ブロックユニットの突条と溝とを嵌合させることで、隣接する道路用ブロックユニットと容易に連結することができる。しかも、突条の側壁部からの突出長さは溝の深さより大きいので、隣接する道路用ブロックユニットを前述の要領で連結すると、その間に突条の突出長さと溝の深さとの差に相当する幅を有する隙間（目地部）が必然的に生じる。すなわち、突条の突出長さと溝の深さとの差を調整することで、所定幅（一定幅）の目地部を容易に確保することができる。
また、溝は水平方向全長にわたって連続しているので、この溝に沿って突条を水平方向に連続的にスライドさせることができる。これにより、隣接する道路用ブロックユニットを水平方向の任意の位置に容易に調整できる。
さらに、水平方向に延びる突条が溝と嵌合することで、隣接する道路用ブロックユニットとの連結状態を安定して維持することができる。これにより、熟練工でなくともきれいに道路用ブロックユニットを設置（敷設）することができる。
【０００７】
本発明の道路用ブロックユニットにおいて、複数の突条は４つの側壁部のうち隣り合う２つの側壁部の外面のそれぞれに設け、溝は残りの２つの側壁部の外面のそれぞれに設けることが好ましい。これにより、道路用ブロックユニットが方向性を有していても、一種類の道路用ブロックユニットのみによって、その方向性に沿って一列に複数連結して設置することができるし、途中でその方向性を９０度転換することもできる。
【０００８】
本発明の道路用ブロックユニットにおいて、複数の突条および溝の鉛直方向の高さ位置は前記４つの側壁部の鉛直方向略中央であることが好ましい。これにより、突条と溝との嵌合状態（隣接する道路用ブロックユニットの連結状態）がより安定する。
【０００９】
本発明の道路用ブロックユニットは、複数の突条として、水平方向略中央部に第１の突条、水平方向一端部に第２の突条および水平方向他端部に第３の突条を有するものとすることができる。これにより、突条と溝との嵌合状態（隣接する道路用ブロックユニットの連結状態）がさらに安定する。
【００１０】
第１の突条と第２の突条との間の間隔および第１の突条と第３の突条との間の間隔は、第１の突条の水平方向の長さより大きいことが好ましい。これらの間隔部分は隣接する道路用ブロックユニット間の目地部に目地材を充填するときの充填口となり、これらの間隔部分の水平方向の長さが第１の突条の水平方向の長さより大きいことで目地材の充填作業が容易になるとともに、目地材が目地部全体に行きわたるので目地材を充填した後の目地部強度が向上する。
【００１１】
第２の突条および第３の突条の水平方向の長さは第１の突条の水平方向の長さの略半分、言い換えれば第１の突条の水平方向の長さは第２の突条および第３の突条の水平方向の長さの略２倍とすることができる。複数の道路用ブロックユニットを千鳥状に連結して設置する際、第１の突条は隣接する２つの道路用ブロックユニットのそれぞれの溝にまたがるように嵌合するが、このとき第１の突条の水平方向の長さが第２の突条および第３の突条の水平方向の長さの略２倍であれば、各道路用ブロックユニットにおいて各突条と溝との嵌合のバランスが良くなり、隣接する道路用ブロックユニットの連結状態が安定する。
【００１２】
本発明の道路用ブロックユニットにおいて、カバーの４つの側壁部のうち溝が設けられている２つの側壁部の厚みは残りの２つの側壁部の厚みより大きくすることが好ましい。溝を設けることによる側壁部の強度低下を補うことができる。
【００１３】
また、本発明の一観点によれば次の道路用ブロックカバーが提供される。
「平面視が正方形または長方形状の箱状の形状を有し、
その４つの側壁部のうち２つの側壁部の外面のそれぞれに水平方向に延びる複数の突条を有し、
残りの２つの側壁部の外面のそれぞれに水平方向全長にわたって連続する溝を有し、
前記複数の突条の鉛直方向の高さ位置は前記溝の鉛直方向の高さ位置と略同一であり、
前記複数の突条の鉛直方向の厚みは前記溝の鉛直方向の幅より小さく、
前記複数の突条の側壁部からの突出長さは前記溝の深さより大きい、道路用ブロックカバー。」
この道路用ブロックカバー内にコンクリート製のブロックを接合することで、前述した本発明の道路用ブロックユニットが得られる。
【発明の効果】
【００１４】
本発明によれば、道路用ブロックユニットの設置の施工性が向上し、良好な設置状態を容易に実現できる。
【図面の簡単な説明】
【００１５】
【図１】本発明の一実施形態である道路用ブロックユニット（誘導ブロック）を示し、（ａ）は平面図、（ｂ）は左側面図、（ｃ）は右側面図、（ｄ）は正面図、（ｅ）は（ａ）のＡ−Ａ線断面図である。
【図２】本発明の他の実施形態である道路用ブロックユニット（警告ブロック）を示す平面図である。
【図３】図１の誘導ブロックの設置例を示す平面図である。
【図４】図２の警告ブロックの設置例を示す平面図である。
【発明を実施するための形態】
【００１６】
図１に、本発明の一実施形態である道路用ブロックユニットを示しており、（ａ）は平面図、（ｂ）は左側面図、（ｃ）は右側面図、（ｄ）は正面図、（ｅ）は（ａ）のＡ−Ａ線断面図である。
【００１７】
図１に示している道路用ブロックユニットは、歩道や駅のホームなどに設置される視覚障碍者誘導用ブロック（点字ブロック）のうち、進行方向（歩行方向）を案内するための誘導ブロックである。この誘導ブロック１０Ａは、平面視が正方形状の樹脂製のカバー２０と、このカバー２０内に接合されるコンクリート製のブロック３０とを備える。なお、以下の説明における「上下」は、誘導ブロック１０Ａを路面に設置した状態での上下を意味する。
【００１８】
カバー２０は、ブロック３０の上面を覆う薄板状の本体部２１と、ブロック３０の側面を覆う４つの側壁部２２ａ〜ｄとを含み、全体として箱状の形状を有する。本体部２１の上面には、視覚障碍者が杖や足裏などを介して進行方向を認識できるように、複数の線状突起２３ａが並列して設けられている。すなわち、誘導ブロック１０Ａは線状突起２３ａの伸びる方向に方向性を有する。一方、本体部２１の下面には、複数の凸部（ピン）２４が点在して設けられている。これら複数の凸部２４のそれぞれは、カバー２０内にコンクリートを充填することでブロック３０に包まれる。これにより、ブロック３０がカバー２０内に強固に接合されている。なお、凸部２４を設けずに、単にカバー２０内にブロック３０を接合することもできる。
【００１９】
カバー２０の４つの側壁部２２ａ〜ｄのうち隣接する２つの側壁部２２ａ，２２ｂの外面のそれぞれに、水平方向に延びる突条として第１〜３の突条２５ａ〜ｃが設けられている。具体的には、側壁部２２ａ，２２ｂの水平方向略中央部に第１の突条２５ａ、水平方向一端部に第２の突条２５ｂ、水平方向他端部に第３の突条２５ｃが設けられている。これらの突条２５ａ〜ｃの鉛直方向（上下方向）の高さ位置（高さレベル）は略同一であり、本実施形態では側壁部２２ａ，２２ｂの鉛直方向略中央である。また、第２の突条２５ｂおよび第３の突条２５ｃの水平方向の長さは略同一であり、第１の突条２５ａの水平方向の長さの略半分である。さらに、第１の突条２５ａと第２の突条２５ｂとの間の間隔Ｌ１および第１の突条２５ａと第３の突条２５ｃとの間の間隔Ｌ１は略同一であり、これらの間隔Ｌ１，Ｌ１は第１の突条２５ａの水平方向の長さＬ２より大きい。
【００２０】
カバー２０の４つの側壁部２２ａ〜ｄのうち残りの側壁部２２ｃ，２２ｄの外面のそれぞれに、水平方向全長にわたって連続する溝２６が設けられている。この溝２６は、誘導ブロック１０Ａを複数連結して設置する際に隣接する誘導ブロック１０Ａの突条２５ａ〜ｃと嵌合可能である。すなわち、溝２６の鉛直方向の高さ位置は突条２５ａ〜ｃの鉛直方向の高さ位置と略同一であり、溝２６の鉛直方向の幅は突条２５ａ〜ｃの鉛直方向の厚みより大きい。一例として、溝２６の鉛直方向の幅は５ｍｍ、突条２５ａ〜ｃの鉛直方向の厚みは４ｍｍである。また、本実施形態では、溝２６の下面の鉛直方向の高さ位置が突条２５ａ〜ｃの下面の鉛直方向の高さ位置が同一となるように設計している。したがって、本実施形態では溝２６の鉛直方向中央の高さ位置と突条２５ａ〜ｃの鉛直方向中央の高さ位置とは完全同一ではないが、溝２６と突条２５ａ〜ｃとは誘導ブロック１０Ａを複数連結して設置する際に嵌合可能である。すなわち、突条の鉛直方向の高さ位置と溝の鉛直方向の高さ位置とが「略同一」とは、誘導ブロック（道路用ブロックユニット）を複数連結して設置する際に嵌合可能であれば実質的に同一であるという意味である。そのほかで使用している「略同一」、「略中央」、「略半分」といった用語も、意図する作用効果を奏することができれば実質的に同一、中央、半分であるという意味である。なお、「略」には当然、誤差レベルでのばらつきの範囲も含む。
【００２１】
突条２５ａ〜ｃと溝２６との形状の関係について説明を続けると、突条２５ａ〜ｃの側壁部２２ａ〜ｄからの突出長さは略同一であり、この突出長さは溝２６の深さより大きい。したがって、隣接する誘導ブロック１０Ａ，１０Ａの突条２５ａ〜ｃと溝２６とを嵌合させると、隣接する誘導ブロック１０Ａ，１０Ａ間には、突条２５ａ〜ｃの突出長さと溝２６の深さとの差に相当する幅を有する隙間（目地部）が必然的に生じる。一例として、突条２５ａ〜ｃの突出長さを６ｍｍ、溝２６の深さを３ｍｍとした場合、隣接する誘導ブロック１０Ａ，１０Ａ間には幅３ｍｍの目地部が生じる。このように突条２５ａ〜ｃの突出長さを溝２６の深さより大きくすることで、隣接する誘導ブロック１０Ａ，１０Ａの突条２５ａ〜ｃと溝２６とを嵌合させるだけで、隣接する誘導ブロック１０Ａ，１０Ａ間に一定幅（所定幅）の目地部を容易に確保することができる。
【００２２】
溝２６が設けられている２つの側壁部２２ｃ，２２ｄの厚み（ｔ２）は、突条２５ａ〜ｃが設けられている２つの側壁部２２ａ，２２ｂの厚み（ｔ１）より大きい。これにより、溝２６を設けることによる側壁部２２ｃ，２２ｄの強度低下を補うことができる。一例として、側壁部２２ａ，２２ｂの厚み（ｔ１）は３ｍｍ、側壁部２２ｃ，２２ｄの厚み（ｔ２）は４．５ｍｍである。
【００２３】
図２に、本発明の他の実施形態である道路用ブロックユニットを平面視により示している。同図に示している道路用ブロックユニットは、視覚障碍者誘導用ブロック（点字ブロック）のうち、危険箇所や誘導対象施設などの位置を示すための警告ブロックである。この警告ブロック１０Ｂの構成は、本体部２１の上面に、線状突起２３ａ（図１参照）に替えて点状突起２３ｂが設けられている点を除いて図１の誘導ブロック１０Ａの構成と同一である。なお、警告ブロック１０Ｂにおいて点状突起２３ｂの配置には方向性はないので、警告ブロック１０Ｂ自体にも方向性はない。
【００２４】
これらの誘導ブロック１０Ａおよび警告ブロック１０Ｂのカバー２０を構成する樹脂材料の具体例としては、熱可塑性樹脂が挙げられる。熱可塑性樹脂としては、ＡＢＳ樹脂（アクリロニトリル、ブタジエン、スチレン共重合合成樹脂）、ポリプロピレン、ポリカーボネート、オレフィン系エラストマー、スチレン系エラストマーなどが挙げられる。また、ブロック３０を構成するコンクリート材料の具体例としては、セメントコンクリート、レジンコンクリート、樹脂コンクリートなどが挙げられる。レジンコンクリートには、ゴム製骨材などの弾性骨材を使用してもよい。なお、カバー２０の凸部２４は、射出成形などにより一次成形後、コテなどにより凸部２４の形状を調整（二次成形）することにより得ることができる。そして、このカバー２０内（本体部２１および４つの側壁部２２ａ〜ｄにより形成される空間）に未硬化のコンクリート材料を充填し、これを硬化させることにより誘導ブロック１０Ａや警告ブロック１０Ｂを製造できる。
【００２５】
図３に、誘導ブロック１０Ａの設置例を示している。誘導ブロック１０Ａは前述のとおり線状突起２３ａの伸びる方向に方向性を有するが、４つの側壁部２２ａ〜ｄのうち隣接する２つの側壁部２２ａ，２２ｂに突条２５ａ〜ｃを有し、残りの２つの側壁部２２ｃ，２２ｄに溝２６を有する構成としているため、図３に示すように、一種類の誘導ブロック１０Ａのみによって、その方向性に沿って一列に複数連結して設置することが可能であり、途中で警告ブロック１０Ｂを介してその方向性を９０度転換することもできる。また、隣接する誘導ブロック１０Ａ，１０Ａまたは警告ブロック１０Ｂの連結においては、一方の突条２５ａ〜ｃと他方の溝２６とを嵌合させるだけで容易に連結することができる。しかも、突条２５ａ〜ｃの突出長さは溝２６の深さより大きいので、隣接する道路用ブロックユニット１０Ａ，１０Ａまたは警告ブロック１０Ｂを連結すると、その間に突条２５ａ〜ｃの突出長さと溝２６の深さとの差に相当する幅Ｗを有する隙間（目地部４０）が必然的に生じる。すなわち、突条２５ａ〜ｃの突出長さと溝２６の深さとの差を調整することで、所定幅（一定幅）の目地部を容易に確保することができる。
【００２６】
また、水平方向に延びる突条２５ａ〜ｃが溝２６と嵌合することで、隣接する誘導ブロック１０Ａ，１０Ａまたは警告ブロック１０Ｂの連結状態を安定して維持することができる。さらに誘導ブロック１０Ａは、複数の突条として、水平方向略中央部に第１の突条２５ａ、水平方向一端部に第２の突条２５ｂおよび水平方向他端部に第３の突条２５ｃを有しているから、これらの突条２５ａ〜ｃが溝２６と嵌合することで、隣接する誘導ブロック１０Ａ，１０Ａまたは警告ブロック１０Ｂの連結状態をさらに安定して維持することができる。すなわち、各突条２５ａ〜ｃがそれぞれ溝２６に嵌合することで、隣接する誘導ブロック１０Ａ，１０Ａまたは警告ブロック１０Ｂに上下方向や斜め方向の外力が作用したとしても、隣接する誘導ブロック１０Ａ，１０Ａまたは警告ブロック１０Ｂの連結状態を安定して維持することができる。しかも、突条２５ａ〜ｃの鉛直方向の高さ位置は４つの側壁部２２ａ〜ｄの鉛直方向略中央であることから、突条２５ａ〜ｃと溝２６との嵌合状態（隣接する誘導ブロック１０Ａ，１０Ａまたは警告ブロック１０Ｂの連結状態）はさらに安定する。
【００２７】
隣接する誘導ブロック１０Ａ，１０Ａまたは警告ブロック１０Ｂを連結して生じた目地部４０には、モルタルや目地砂などの目地材を注入して充填する。ここで、図１で説明したとおり第１の突条２５ａと第２の突条２５ｂとの間の間隔Ｌ１および第１の突条２５ａと第３の突条２５ｃとの間の間隔Ｌ１は、第１の突条２５ａの水平方向の長さＬ２より大きい。これらの間隔Ｌ１，Ｌ１部分は隣接する誘導ブロック１０Ａ，１０Ａまたは警告ブロック１０Ｂ間の目地部４０に目地材を充填するときの充填口となるが、突条２５ａ〜ｃの水平方向の長さが大きい、すなわち間隔Ｌ１，Ｌ１が小さい場合、目地材の量が少なく、また、突条２５ａ〜ｃの下方に目地材が充填されにくくなり、目地材を充填した後の目地部強度が低下し、隣接する誘導ブロック１０Ａ，１０Ａまたは警告ブロック１０Ｂの連結状態が不安定となる恐れがある。しかしながら、間隔Ｌ１，Ｌ１部分の水平方向の長さが第１の突条２５ａの水平方向の長さ（Ｌ２）より大きいことで目地材の充填作業が容易になるとともに、目地材が目地部４０全体に行きわたるので目地材を充填した後の目地部強度が向上する。
【００２８】
図４には、警告ブロック１０Ｂの設置例を示している。この設置例では、警告ブロック１０Ｂを千鳥状に連結して設置している。このように警告ブロック１０Ｂを千鳥状に連結すると、一の警告ブロック１０Ｂの第１の突条２５ａは、隣接する２つの警告ブロック１０Ｂ，１０Ｂのそれぞれの溝２６にまたがるように嵌合する。このとき第１の突条２５ａの水平方向の長さは第２の突条２５ｂおよび第３の突条２５ｃの水平方向の長さの略２倍であるから、各警告ブロック１０Ｂにおいて各突条２５ａ〜ｃと溝２６との嵌合のバランスが良くなり、隣接する警告ブロック１０Ｂ，１０Ｂの連結状態が安定する。
【００２９】
また、溝２６は水平方向全長にわたって連続しているので、この溝２６に沿って突条２５ａ〜ｃを水平方向に連続的にスライドさせることができる。これにより、図４のように警告ブロック１０Ｂを千鳥状に連結するときなどに、隣接する警告ブロック１０Ｂ，１０Ｂの水平方向の位置を容易に調整できる。
【００３０】
以上、誘導ブロック１０Ａおよび警告ブロック１０Ｂの設置例を図３および図４に示したが、当然、これらの設置例には限定されない。例えば、誘導ブロック１０Ａを図４のように千鳥状に連結して設置することもできるし、誘導ブロック１０Ａおよび警告ブロック１０Ｂを組み合わせて設置することもできる。
【００３１】
また、誘導ブロック１０Ａおよび警告ブロック１０Ｂの平面視形状は正方形であるが、長方形状としても同様の作用効果を奏することができる。さらに、本発明の道路用ブロックユニットは、点字ブロック（誘導ブロックまたは警告ブロック）だけでなく、歩道に設置される化粧ブロックなどにも適用可能である。
【符号の説明】
【００３２】
１０Ａ  誘導ブロック（道路用ブロックユニット）
２０  カバー（道路用ブロックカバー）
２１  本体部
２２ａ〜ｄ  側壁部
２３ａ  線状突起
２３ｂ  点状突起
２４  凸部
２５ａ〜ｃ  第１〜３の突条（突条）
２６  溝
３０  ブロック
４０  目地部
【図１】
2019002147.tif 000003
【図２】
2019002147.tif 000004
【図３】
2019002147.tif 000005
【図４】
2019002147.tif 000006